(57)【要約】【解決手段】本発明は、データネットワーク（１０１）、特にスイッチド・イーサネットにおける情報伝達のための方法およびシステム、並びにこのようなデータネットワーク（１０１）における加入者（１０２）に関する。テレグラム（１１９〜１３５）の伝送によって要求されるデータネットワーク（１０１）における情報伝達リソースを低減するため、基本サイクルで周期的に繰り返される期間が定義され、テレグラム（１１９〜１３５）にそれぞれ第１の標識Ｕが割り当てられ、この標識は各テレグラム（１１９〜１３５）に各テレグラム（１１９〜１３５）の伝送のためにｎ個の連続する期間のグループを割り当て、その際グループは周期的に繰り返され、テレグラム（１１９〜１３５）にはそれぞれ第２の標識Ｚが割り当てられ、この標識は各テレグラム（１１９〜１３５）に各テレグラム（１１９〜１３５）の伝送のためにグループのｎ個の期間の列においてｍ番目の期間を割り当て、その際１≦ｍ≦ｎであり、テレグラム（１１９〜１３５）はそれぞれ割り当てられた期間に伝送される。
2006519531.tif 000002
【特許請求の範囲】
【請求項１】
データネットワーク（１０１）における情報伝達のための方法であって、
・基本サイクルで周期的に繰り返される期間が定義され、
・テレグラム（１１９〜１３５）にそれぞれ第１の標識（Ｕ）が割り当てられ、この標識は各テレグラムに各テレグラムの伝送のためにｎ個の連続する期間のグループを割り当て、その際グループは周期的に繰り返され、
・テレグラム（１１９〜１３５）にはそれぞれ第２の標識（Ｚ）が割り当てられ、この標識は各テレグラムに各テレグラムの伝送のためにグループのｎ個の期間の列においてｍ番目の期間を割り当て、その際１≦ｍ≦ｎであり、
・テレグラムはそれぞれ割り当てられた期間に伝送される
データネットワークにおける情報伝達方法。
【請求項２】
テレグラム（１１９〜１３５）にそれぞれ第３の標識（Ｒ）が割り当てられ、この標識は１つの期間内に伝送すべきテレグラムの順序を定めるために用いられることを特徴とする請求項１記載の方法。
【請求項３】
１つの期間内に、実時間データを伝送するための第１の領域と、その他のデータを伝送するための第２の領域が設けられていることを特徴とする請求項１又は２記載の方法。
【請求項４】
データネットワーク（１０１）において加入者（１０２）間で情報伝達するためのシステムであって、
・テレグラム（１１９〜１３５）にそれぞれ割り当てられ基本サイクルで周期的に繰り返される期間にテレグラム（１１９〜１３５）を伝送するための加入者（１０２）が設けられ、
・テレグラム（１１９〜１３５）にそれぞれ第１の標識（Ｕ）が割り当てられ、この標識は各テレグラムに各テレグラムの伝送のためにｎ個の連続する期間のグループを割り当て、その際グループは周期的に繰り返され、
・テレグラム（１１９〜１３５）にはそれぞれ第２の標識（Ｚ）が割り当てられ、この標識（Ｚ）は各テレグラムに各テレグラムの伝送のためにグループのｎ個の期間の列においてｍ番目の期間を割り当て、その際１≦ｍ≦ｎである
データネットワークにおける加入者間の情報伝達システム。
【請求項５】
テレグラム（１１９〜１３５）にそれぞれ第３の標識（Ｒ）が割り当てられ、この標識は１つの期間内に伝送すべきテレグラムの順序を定めるために用いられることを特徴とする請求項４記載のシステム。
【請求項６】
１つの期間内に、実時間データを伝送するための第１の領域と、その他のデータを伝送するための第２の領域が設けられていることを特徴とする請求項４又は５記載のシステム。
【請求項７】
データネットワーク（１０１）における加入者（１０２）であって、加入者（１０２）はテレグラム（１１９〜１３５）にそれぞれ割り当てられ基本サイクルで周期的に繰り返される期間にテレグラム（１１９〜１３５）を伝送するために設けられ、その際テレグラム（１１９〜１３５）にそれぞれ第１の標識（Ｕ）が割り当てられ、この標識は各テレグラムに各テレグラムの伝送のためにｎ個の連続する期間のグループを割り当て、その際グループは周期的に繰り返され、その際テレグラム（１１９〜１３５）にはそれぞれ第２の標識（Ｚ）が割り当てられ、この標識は各テレグラムに各テレグラムの伝送のためにグループのｎ個の期間の列においてｍ番目の期間を割り当て、その際１≦ｍ≦ｎであるデータネットワークにおける加入者。
【発明の詳細な説明】
【技術分野】
【０００１】
本発明は、データネットワーク、特にスイッチド・イーサネットにおける情報伝達のための方法及びシステム、並びにこのようなデータネットワークにおける加入者に関する。
【０００２】
データネットワークは、複数の加入者間の情報伝達を、ネットワーク化、従って個々の加入者を互いに結ぶことによって可能とする。ここで情報伝達とは、加入者間でデータを伝送することを意味する。伝送すべきデータはデータテレグラムとして送られる、即ちデータはパケットにまとめられ、この形でデータネットワークを介して対応する受信者に送られる。それ故データパケットともいう。「データの伝送」という概念は、ここではデータテレグラム又はデータパケットの上述の伝送と完全に同義に使用される。ネットワーク化そのものは、例えばスイッチング可能な高速のデータネットワーク、特にイーサネットの場合には、２つの加入者間に両加入者と結ばれた少なくとも１つのスイッチングマトリックスが接続されることによって解決される。各スイッチングマトリックスは２より多い加入者と結ぶこともできる。各加入者は少なくとも１つのスイッチングマトリックスと結ばれるが、他の加入者とは直接には結ばれない。加入者とは、例えばコンピュータ、プログラム内蔵式制御部（SPS）または電子データを他の構成要素と交換する、特に処理するその他の構成要素である。スイッチングマトリックスは、例えばいわゆるスイッチ、ハブ、ブリッジ、ルータ及びこれらに類するものである。各加入者がデータネットワークの各他の加入者とデータバスを介して直接連絡を取り得るバスシステムと異なり、スイッチング可能なデータネットワークにおいては専らポイント・ツー・ポイント回路が扱われる。即ち加入者はスイッチング可能なデータネットワークのすべての他の加入者と、１つ又は複数のスイッチングマトリックスを用いて伝送すべきデータを転送することによってのみ連絡をとることができる。スイッチング可能なデータネットワークにおけるデータパケットはフレームとも呼ばれる。何故なら、伝送されるユーザデータは通常１つの枠（英語のFrame）に入れられており、特別の同期化ビット及びエラー検出ビットがユーザデータの前又は後に置かれ、それらをその限りで枠に入れているからである。
【０００３】
分散した自動化システム、例えば駆動技術の分野におけるこの種のシステムにおいては、特定のデータが特定の時間に指定された加入者に到着し、受信者によって処理されなければならない。その際実時間臨界データ又はデータトラフィックといわれる。何故なら、特定場所にデータが時間遅れなく到着しないことは、加入者に望ましくない結果を導くからである。
【０００４】
インターネットサイト 
http://www.informatik.unileipzig.de/ifi/abteilungen/rnvs/lehre/rn2/download/kap09＿6.pdfから、広帯域ネットワークを介してデータを伝送するための時分割多重法が知られており、この方法においてはタイムスロットが種々の伝送チャネルに対し予約され、伝送チャネルが時間的に加入者に分配される。いわゆる同期時分割多重（Synchronous Time Division＝STD）においては、固定された大きさのタイムスロットの特定の数からなる伝送フレームが定義される。各ユーザは伝送フレーム内の特定のタイムスロットを得、そのタイムスロットの間にユーザは送信及び受信することができる。従って伝送チャネルは伝送フレーム内のタイムスロットの位置によって同定される。
【０００５】
本発明の課題は、データネットワークにおけるテレグラムの伝送によって要求される情報伝達リソースを低減することにある。
【０００６】
この課題は、データネットワークにおける情報伝達のための方法であって、
・基本サイクルで周期的に繰り返される期間が定義され、
・テレグラムにそれぞれ第１の標識が割り当てられ、この標識は各テレグラムに各テレグラムの伝送のためにｎ個の連続する期間のグループを割り当て、その際グループは周期的に繰り返され、
・テレグラムにはそれぞれ第２の標識が割り当てられ、この標識は各テレグラムに各テレグラムの伝送のためにグループのｎ個の期間の列においてｍ番目の期間を割り当て、その際１≦ｍ≦ｎであり、
・テレグラムはそれぞれ割り当てられた期間に伝送される
方法によって解決される。
【０００７】
この課題は、データネットワークにおける加入者間で情報伝達するためのシステムであって、
・テレグラムにそれぞれ割り当てられ基本サイクルで周期的に繰り返される期間にテレグラムを伝送するための加入者が設けられ、
・テレグラムにそれぞれ第１の標識が割り当てられ、この標識は各テレグラムに各テレグラムの伝送のためにｎ個の連続する期間のグループを割り当て、その際グループは周期的に繰り返され、
・テレグラムにはそれぞれ第２の標識が割り当てられ、この標識は各テレグラムに各テレグラムの伝送のためにグループのｎ個の期間の列においてｍ番目の期間を割り当て、その際１≦ｍ≦ｎである
情報伝達のためのシステムによって解決される。
【０００８】
この課題は、データネットワークにおける加入者であって、加入者はテレグラムにそれぞれ割り当てられ基本サイクルで周期的に繰り返される期間にテレグラムを伝送するために設けられ、その際テレグラムにそれぞれ第１の標識が割り当てられ、この標識は各テレグラムに各テレグラムの伝送のためにｎ個の連続する期間のグループを割り当て、その際グループは周期的に繰り返され、その際テレグラムにはそれぞれ第２の標識が割り当てられ、この標識は各テレグラムに各テレグラムの伝送のためにグループのｎ個の期間の列においてｍ番目の期間を割り当て、その際１≦ｍ≦ｎであることによって解決される。
【０００９】
本発明は、データネットワークにおいて加入者間のテレグラムの伝送の調整によって、実時間環境においてもこのような情報伝達を使用することが可能となるという認識に基くものである。通常のネットワーク、例えばCSMA/CD（Carrier Sense Multiple Access/Collision Detection  搬送波検出多元接続・衝突検知）をベースとするアクセス制御によるネットワーク、においては、すべての加入者は通信の発送に関して平等である、即ち個々の加入者は通信を送る際の時点の選択において互いに無関係である。しかしながらそれによって、送信プロセスが実際に終了するまで、遅れは固定された上限でもって決定不可能である。このことは、決定性情報伝達の環境におけるこのようなネットワークの利用を制限する。加入者が時点および情報伝達パートナーに関して統計的に分布してデータを交換するネットワークにおいては、場合によっては良好に決め得る特定のネットワーク負担が生じるであろう。しかしながら、実時間環境においては通常のように、周期的なｎ：１関係が存在する（即ちｎ個の加入者が１つの加入者に周期的に送る）場合には、調整されない送信によって、受信者においてｎ個の送信周期のうなりに基き再三再四抑制できない過負荷が受信の際に生じ得る。このことは、データ伝送の質を損ねるテレグラム損失に通じ得る。受信間隔の上限が相応に大きい（ないし高い）場合には、この状況は支配的である。それに関して常に、ネットワークにおいても受信者においてもリソースが並外れて大きくなることが結び付いてくる。本発明で提案されたテレグラムの送信時点の調整によって、受信する加入者における過負荷ピークが避けられる。送信時点を時間について分割することにより、受信する加入者において、処理すべきテレグラムの数に対する算定可能でかつ維持し得る上限が示され得る。従って、テレグラム損失に対する確率が最小限に抑えられるので、情報伝達のアベイラビリティが上昇する。データネットワークの負担は予測可能となり、従って本発明で提案された情報伝達の、特に実時間環境および自動化技術における利用性が改善される。
【００１０】
本発明の有利な構成によれば、テレグラムはそれぞれ第３の標識を有し、この標識は１つの期間内で伝送されるテレグラムの順序を定めるために用いられる。従ってテレグラムはそれぞれ期間のテレグラムの列における割り当てられた明確な場所を得、このことはテレグラム伝達の調整のさらなる最適化を可能とする。
【００１１】
例えば標識を持たない時間的に非臨界的なデータの伝送をデータネットワーク内で可能にするために、本発明の他の有利な構成によれば、１つの期間内に、実時間データを伝送するための第１の領域と、その他のデータを伝送するための第２の領域とを設けることが提案される。
【００１２】
次に本発明を図面に示す実施例について詳細に説明する。
【００１３】
図１は加入者１〜１３を有するスイッチング可能なデータネットワーク１７を示す。加入者１〜１３はポイント・ツー・ポイント情報伝達接続２０〜３１により互いに結合されている。図１に示された実施例においては、スイッチング可能なデータネットワーク１７、例えばスイッチド・イーサネット・ネットワークは、自動化システムの構成要素の情報伝達に用いられる。自動化システムの加入者４〜１３は、情報伝達接続２０〜３０を介して伝送されるデータパケットの転送のために、スイッチング結合素子１〜３を介して互いに結合されている。それぞれポイント・ツー・ポイント情報伝達接続２０〜３０によりスイッチング結合素子システム１〜３に結合されているのは、携帯型プログラミング装置４、操作及び観察中央システム５、分散した操作及び観察ステーション６、７、プログラム内蔵制御部８、９、入力／出力ユニット１０、１１、及び他の周辺ユニット１２、１３である。従って自動化システム内の加入者４〜１３間の情報伝達は、例えばいわゆる共有媒体ネットワークを介して直接行われるのではなく、スイッチング可能なデータネットワーク１７においてそれぞれ１つ又は複数のスイッチング結合素子１〜３を介して行われる。自動化システムによって解決すべき複雑な課題、部分的にシステムの実時間能力への高度の要求を持つ課題は、自動化システムにおける加入者１〜１３の決定性情報伝達を要求する。
【００１４】
図２はデータネットワークにおける伝送周期６０の期間のテレグラム６７〜７０を示す。図２におけるダイアグラムの時間軸は符号６６で示されている。伝送周期６０は始端６３及び終端６５を有する。伝送周期６０はいわゆる基本サイクルでもって周期的に繰り返される。伝送周期６０の基本サイクルは、実施例では31.25μsの整数倍、ここでは２5倍、即ち基本サイクル31.25μsの32倍である。従って１ｍｓの基本サイクルが生じる。伝送周期（期間ともいう）は、実時間データを伝送するための第１の領域６１及びその他のデータを伝送するための第２の領域６２を有する。両領域６１及び６２間の境界は符号６４で示されている。伝送周期６０は実施例では、５０％が実時間データの伝送のために、他の５０％がその他のデータの伝送に使用される。このことは、実時間データの帯域幅利用が５０％であることに相当する。図１によるデータネットワーク１７においてすべての送信加入者１〜１３はテレグラム６７〜７０の発送を本方法に従う送信リストを使用して制御するから、受信加入者１〜１３において使用される帯域幅を考察する場合には、受信すべきテレグラム６７〜７０についての和形成が行われなければならない。テレグラム６７は周期的に１ｍｓの基本サイクルで伝送され、テレグラム６８〜７０は基本サイクルの周期時間の整数倍で、特に基本サイクルと２のべき乗との積から生じる周期時間を持つサイクルで周期的に伝送される。実施例の場合、テレグラム６８は２ｍｓのサイクルで、テレグラム６９は４ｍｓのサイクルで、最後のテレグラム７０は１０２４ｍｓのサイクルで伝送される。テレグラム６８は従って各第２の伝送周期においてのみ１ｍｓの基本サイクルで伝送され、テレグラム６９は相応して各第４の伝送周期６０において、テレグラム７０は各第１０２４の伝送周期６０において伝送される。
【００１５】
図３は本発明の原理を具体的に説明するため、周期的に伝送されるテレグラム４６〜５１を有する一連の伝送周期４０〜４３を示す。データネットワークにおける加入者、例えば自動化システムの自動化機器は、必ずしもすべてが高い性能で情報伝達し得る、またはしなければならないものではない。最も遅い加入者が全データネットワークの性能を決定しないようにするため、いわゆる減速が導入される。この減速は、最小の基本サイクルについてのファクターとして定義される。減速は、多数の加入者の場合に、情報伝達関係を適格化する（例えば速い及び遅い情報伝達関係に）可能性を提供し、従ってまた多数の加入者の場合にも選択された情報伝達パートナーに対する情報伝達の高いアプデートデータを可能にする。図３のダイアグラムにおいては、時間矢印が符号４４で示され、伝送周期４０〜４３の境界はそれぞれ符号４５で示されている。伝送周期４０〜４３の各々は１ｍｓの周期を有し、即ち伝送周期４０〜４３は基本サイクルで連続する。テレグラム４６〜４９はこの１ｍｓの基本サイクルで周期的に実現される。それに対しテレグラム５０、５１は値“２”、即ち最小の基本サイクルに対しファクタ２を有する減速を有する。テレグラム５０、５１は従ってすべて２ｍｓで実現され、ここでは伝送周期４０、４２において実現される。１ｍｓの基本サイクルの各伝送周期４０〜４３は期間を形成する。選択された減速に関係して、テレグラム４６〜５１の伝送のために１又は複数の期間が選定に供されている。図３の例では、まさに２つの異なる期間が選定に供されている。送るべきテレグラム４６〜５１（フレームともいわれる）は、帯域幅の最適利用のため個々の期間に、即ち伝送周期４０〜４３に分割することができる。減速“２”を有するテレグラム５０、５１の周期的伝送は従って、ここでは使用されない期間、即ち伝送周期４１、４３で伝送することもできる。同じ実現度、即ち同じ減速を有する複数のテレグラム型が存在する場合には、それらは帯域幅のよりよい利用のために期間に分割することができる。
【００１６】
図４は、異なる標識を有するテレグラム８７〜１００の伝送のための一連の伝送周期８１〜８５を示す。ダイアグラムにおける時間矢印は８０で示され、伝送周期８１〜８５の境界は符号８６で示されている。送るべきテレグラムを期間に分類した後、さらにある期間内のテレグラムの順序があらかじめ設定される場合には付加の最適化が可能である。特に、同じ減速が割り当てられているテレグラム相互の順序があらかじめ設定される。この場合、より高い実現度、即ちより小さい減速を有するテレグラムは、より大きい減速を有するテレグラムに対し優先し、従ってより大きい減速を有するテレグラムの前に伝送される。この例の場合、１つの加入者が５つの他の加入者にそれぞれ周期的にテレグラム８７〜１００を送る。伝送周期８１〜８５の基本サイクルは再び１ｍｓの周期時間を持つ。テレグラム８７〜１００の伝送時の減速、期間および順序は、５つの伝送路の各々について定められている。２つの加入者間でテレグラム８７〜９１が伝送される伝送路に対し、値“１”を有する減速、値“１”を有する期間、および値“１”を有する順序が定められている。テレグラム９２〜９４が伝送される他の加入者への伝送路に対し、値“２”を有する減速、値“１”を有する期間、および値“２”を有する順序が定められている。テレグラム９５〜９６が伝送される第３の加入者への伝送路に対し、同様に値“２”を有する減速、ここではもちろん値“２”を有する期間および値“１”を有する順序が定められている。テレグラム９７、９８の第４の加入者への伝送のためにも、値“２”を有する減速および値“２”を有する期間が定められており、もちろんここでは順序は値“２”に定められている。最後にテレグラム９９、１００が第５の加入者に伝送される。この伝送路に対しては、減速４、値“１”を有する期間、値“３”を有する順序が選ばれる。減速は第１の標識Ｕともいわれ、期間は第２の標識Ｚといわれる。従ってテレグラム８７〜１００には第１の標識Ｕ、減速、が割り当てられ、この減速は各テレグラム８７〜１００に各テレグラム８７〜１００の伝送のためのｎ個の連続する期間ないし伝送周期８１〜８５のグループを割り当て、その際、そのグループは周期的に繰り返される。さらにテレグラムにはそれぞれ第２の標識Ｚ、期間が割り当てられ、この期間は各テレグラム８７〜１００に各テレグラム８７〜１００の伝送のためグループのｎ個の期間の列においてｍ番目の期間を割り当て、その際１≦ｍ≦ｎである。ｍおよびｎは自然数である。さらに、図４の実施例におけるテレグラム８７〜１００にはそれぞれ第３の標識Ｒが割り当てられ、この標識はある期間内に伝送されるテレグラム８７〜１００の順序を定めるのに使用される。標識Ｕ、Ｚ、Ｒはその際テレグラム８７〜１００そのものに、例えばテレグラム内容の部分として、割り当てられることができる（図４ではテレグラム８７の例で原理的に示されている）が、データネットワークにおける加入者間の各伝送路に割り当てることもできる。対応する標識Ｕ、Ｚ、Ｒを備える伝送路を介して伝送されるテレグラムは、従ってこれらの標識Ｕ、Ｚ、Ｒに関係して伝送される。テレグラム８７〜１００のここで説明された調整された伝送（送信リスト制御ともいわれる）は、個々の期間ないし伝送周期８１〜８５へのテレグラム８７〜１００の均等な分布に導き、従って利用に供される帯域幅のより良好な利用に導く。
【００１７】
図５は関連する加入者１０２、１０７〜１１３を有するデータネットワーク１０１を示す。その際加入者１０２は接続路１０３を介してテレグラムを他の加入者１０７〜１１３に送る。接続路１０３は実施例ではスイッチングされるネットワークとして形成されている。加入者１０７および１０８（合わせて符号１０４で示されている）へのテレグラムの伝送は、１ｍｓの基本サイクルで、即ち値“１”を有する減速で行われる。符号１０５で示される加入者１０９および１１０はそれぞれ２ｍｓの周期時間の周期で、即ち値“２”を有する減速で、送信してくる加入者１０２からのテレグラムを受け取る。符号１０６で示される加入者１１１〜１１３の第３のグループは最後に、送信してくる加入者１０２からのテレグラムをすべて４ｍｓで受け取る、即ち加入者１１１〜１１３へのこれらのテレグラムないし伝送路には値“４”の減速が割り当てられている。
【００１８】
図６は図５で示された加入者１０２ないし１０７〜１１３間で交換されるテレグラム１１９〜１３５を図示したものである。伝送周期のそれぞれの境界は符号１１４で示されている。１ｍｓの基本サイクル１１５は、値“１”を有する選択された減速の場合には、その広がりが符号１１６で示されているｎ個の連続する期間ないし伝送周期の最小可能なグループに通じる。この場合ｎ＝１となる。値“２”を有する選択された減速の場合には、その広がりが符号１１７で示されているｎ個の連続する期間の他のグループが生じる。この場合値ｎ＝２である。値“４”従ってｎ＝４の連続する期間を有する伝達によって特徴付けられる第３のグループは、符号１１８でその広がりが示されている。加入者１０２から加入者１０７〜１１３へ送られるテレグラム１１９〜１３５に標識Ｕ、Ｚ、Ｒが割り当てられることによって、情報伝達の任意に選択された期間に対し図６に示されるテレグラム１１９〜１３５の分割が生じる。テレグラム１１９〜１２３は１ｍｓ周期で加入者１０７に伝送される。同じ繰り返しレートにより、即ち値“１”を有する減速によって、テレグラム１２４〜１２８は加入者１０８に伝送され、もちろんこれらのテレグラム１２４〜１２８にはこの場合値“２”を有する第３の標識Ｒが割り当てられる。加入者１０９ないし１１０を有する第２のグループ１０５は、それぞれすべて２ｍｓのテレグラム１２９〜１３１ないし１３２〜１３３を送ってくる加入者１０２から受け取る。最後に加入者１１１、１１２および１１３を有する第３のグループ１０６にはすべて４ｍｓのテレグラム１３４および１３５、１３６および１３７が伝送される。
【００１９】
加入者１０２は従って６つの他の加入者１０７〜１１３にそれぞれ周期的にテレグラムを送る。減速Ｕ、期間Ｚおよび順序Ｒは送信リストの形で次のように定められている。
加入者１０７：Ｕ＝１、Ｚ＝１、Ｒ＝１
加入者１０８：Ｕ＝１、Ｚ＝１、Ｒ＝２
加入者１０９：Ｕ＝２、Ｚ＝１、Ｒ＝１
加入者１１０：Ｕ＝２、Ｚ＝２、Ｒ＝１
加入者１１１：Ｕ＝４、Ｚ＝１、Ｒ＝１
加入者１１２：Ｕ＝４、Ｚ＝２、Ｒ＝１
加入者１１３：Ｕ＝４、Ｚ＝３、Ｒ＝１
【００２０】
この図５および図６の実施例によっても、データネットワークにおける情報伝達のための本発明方法がテレグラム１１９〜１３５の極めて良好な時間的分割に、従って利用に供される帯域幅の極めて良好な利用に導くことがよく認められる。
【００２１】
要約すれば、本発明はデータネットワーク１０１、特にスイッチド・イーサネット、における情報伝達のための方法およびシステム、並びにこのようなデータネットワーク１０１における加入者１０２に関するものである。テレグラム１１９〜１３５を伝送することにより要求されるデータネットワーク１０１内の情報伝達リソースを低減するため、基本サイクルで周期的に繰り返される期間が定義され、テレグラム１１９〜１３５にそれぞれ第１の標識Ｕが割り当てられ、この標識は各テレグラム１１９〜１３５にｎ個の連続する期間のグループを各テレグラム１１９〜１３５の伝送のために割り当て、その際グループは周期的に繰り返され、テレグラムにはそれぞれ第２の標識Ｚが割り当てられ、この標識は各テレグラム１１９〜１３５に各テレグラム１１９〜１３５の伝送のためにグループのｎ個の期間の列においてｍ番目の期間を割り当て、その際１≦ｍ≦ｎであり、テレグラム１１９〜１３５はそれぞれ割り当てられた期間に伝送される。
【図面の簡単な説明】
【００２２】
【図１】スイッチング可能なデータネットワークにおける種々の加入者の説明図である。
【図２】データネットワークにおける伝送周期期間中のテレグラムの説明図である。
【図３】周期的に伝送される伝送周期の列の説明図である。
【図４】異なる標識を有するテレグラムを伝送するための伝送周期の列の説明図である。
【図５】情報伝達する加入者を有するデータネットワークの説明図である。
【図６】加入者間で交換されるテレグラムの説明図である。
【符号の説明】
【００２３】
１〜１３  加入者
１７  データネットワーク
２０〜３１  情報伝達接続
４０〜４３  伝送周期
４４  時間矢印
４５  境界
４６〜５１  テレグラム
６０  伝送周期
６１  第１の領域
６２  第２の領域
６３  伝送周期の始端
６４  境界
６５  伝送周期の終端
６７〜７０  テレグラム
８０  時間矢印
８１〜８５  伝送周期
８７〜１００  伝送周期
１０１  データネットワーク
１０２  加入者
１０７〜１１３  加入者
１１４  境界
１１５  基本サイクル
１１６、１１７、１１８  広がり
１１９〜１３７  テレグラム
Ｕ、Ｚ、Ｒ  標識
【図１】
2006519531.tif 000003
【図２】
2006519531.tif 000004
【図３】
2006519531.tif 000005
【図４】
2006519531.tif 000006
【図５】
2006519531.tif 000007
【図６】
2006519531.tif 000008
【国際調査報告】
2006519531.tif 000009
2006519531.tif 000010
2006519531.tif 000011
2006519531.tif 000012